(57)【要約】      （修正有）【課題】直立平面に対して簡便且つ迅速に取り付けができ、また強固な取り付けが可能となされた蓄電池の固定構造を提供せんとするものである。【解決手段】直立平面Ｈに２本のレール２を取り付けておき、蓄電池Ｂを取り付ける際にレール２の取付溝に固定金具１の取付部を摺動させ、固定バンド３を取り付けることで蓄電池Ｂが固定できるから、蓄電池Ｂの固定は簡便且つ迅速なものとなり得る。またレール２と固定バンド３に蓄電池が挟持されて固定されるから、レール２、固定金具１及び固定バンド３の３つの部材が緊密に固定され、蓄電池Ｂの固定は強固なものとなり得る。【選択図】図４
2004253286.tif 000002
【特許請求の範囲】
【請求項１】
取付溝が形成された２本のレールと、前記レール間において取付溝に取付部の左右端部が摺動可能に取り付けられる固定金具と、固定金具に取り付けられて蓄電池の外面に当接される固定バンドとを備え、直立平面に蓄電池を固定する構造であって、直立平面に前記レールが取り付けられ、前記レールの取付溝に固定金具の取付部が摺動されて取り付けられ、前記固定金具に前記固定バンドを取り付けることで固定バンドが蓄電池に圧接され、前記レール及び固定バンドにより蓄電池が挟持されることを特徴とする蓄電池の固定構造。
【請求項２】
固定金具は、固定バンドが取り付けられていない状態で蓄電池を仮保持できるものであることを特徴とする請求項１に記載の蓄電池の固定構造。
【請求項３】
固定金具は、一体の材料が曲げ加工により断面コ字状となされたものであることを特徴とする請求項１又は２に記載の蓄電池の固定構造。
【請求項４】
直立平面は、電気装置の内面であることを特徴とする請求項１〜３のいずれかに記載の蓄電池の固定構造。
【発明の詳細な説明】
【０００１】
【発明の属する技術分野】
本発明は、電気装置に電源を供給する蓄電池の固定構造に関するものである。
【０００２】
【従来の技術】
従来、直立平面に対し蓄電池を取り付ける方法としては、蓄電池に取り付けた台座にビス孔等を穿設し、ビス孔に挿通したビスを直立平面に螺着して取り付ける方法や、直立平面にＵバンド等を取り付け、かかるバンドにより蓄電池を挟持する方法などが用いられてきていた。
【０００３】
また特許文献１においては、台座と、該台座に一体に取り付けた電池パック締結手段を有することを特徴とする電池パックの取付け治具が開示されている。
【０００４】
【特許文献１】
特開２００１−１８５１０８号公報
【０００５】
【発明が解決しようとする課題】
しかしながら、これら従来の方法では、例えば輸送時の振動等により蓄電池を直立平面に取り付けておくことができず、電気装置を設置した後に蓄電池を取り付ける必要がある場合など、現地において簡便且つ迅速な蓄電池の取り付けが必要である場合には対応が困難であるものであった。
【０００６】
また特許文献１に示す如き方法では、台座を予め直立平面に取り付けておけば簡便且つ迅速な取り付けは可能であるものの、単に締結手段により締め付けるものであるから、振動等により締結手段から外れる恐れがある。とりわけ直立平面においては、蓄電池は常時重力を受ける状態であり、締結手段の僅かな緩みでも蓄電池が脱落する恐れがある。
【０００７】
本発明は上記の如き問題点に鑑みてなされたものであり、直立平面に対して簡便且つ迅速に取り付けができ、また強固な取り付けが可能となされた蓄電池の固定構造を提供せんとするものである。
【０００８】
【課題を解決するための手段】
上記課題を解決するため、本発明は以下のような構成としている。すなわち、本発明に係わる蓄電池の固定構造は、取付溝が形成された２本のレールと、前記レール間において取付溝に取付部の左右端部が摺動可能に取り付けられる固定金具と、固定金具に取り付けられて蓄電池の外面に当接される固定バンドとを備え、直立平面に蓄電池を固定する構造であって、直立平面に前記レールが取り付けられ、前記レールの取付溝に固定金具の取付部が摺動されて取り付けられ、前記固定金具に前記固定バンドを取り付けることで固定バンドが蓄電池に圧接され、前記レール及び固定バンドにより蓄電池が挟持されることを特徴とするものである。
【０００９】
本発明によれば、直立平面に２本のレールを取り付けておき、蓄電池を取り付ける際にレールの取付溝に固定金具の取付部を摺動させ、固定バンドを取り付けることで蓄電池が固定できるから、蓄電池の固定は簡便且つ迅速なものとなり得る。またレールと固定バンドに蓄電池が挟持されて固定されるから、レール、固定金具及び固定バンドの３つの部材が緊密に固定され、蓄電池の固定は強固なものとなり得る。
【００１０】
また前記固定金具は、固定バンドが取り付けられていない状態で蓄電池を仮保持できるものであれば、固定バンドの取り付けの際に蓄電池を支持しておく必要がなくなり、取り付けがより簡便なものとなり好ましい。
【００１１】
更にまた前記固定金具は、一体の材料が曲げ加工により断面コ字状となされたものであれば、適宜形状に調整した材料を曲げ加工するのみで固定金具が形成でき、複雑な加工が必要でなくなり好ましい。
【００１２】
また直立平面は、電気装置の内面であれば底面や上面における水濡れや結露の恐れが小さく蓄電池への悪影響を少なくできることから本発明を好適に適用できる。また扉の内側等の限られたスペースにも取り付けることができ好ましい。
【００１３】
【発明の実施の形態】
本発明の実施の形態について、図面に基づき以下に具体的に説明する。
図１〜図４は、本発明に係わる実施の一形態を示す説明図である。まず図１において、直立平面Ｈに２本のレール２がスポット溶接Ｙ等により取り付けられる。レール２はクランク状の断面形状で、直立平面Ｈに取り付けられることでレール２と直立平面Ｈとの間で取付溝２１が形成され、２本のレール２について取付溝２１は相対向するようになされている。
【００１４】
次に２本のレール２の相対向する取付溝２１に、固定金具１が摺動可能に取り付けられる。固定金具１は断面コ字状の形状となされ、取付部１１、下面板１２、上面板１３及びバンド固定部１４とからなり、下面板１３の幅が２本のレール２の取付溝２１の間隔Ｋより小さくなされ、取付部１１の幅が取付溝２１内で摺動可能な程度に前記間隔Ｋより大きくなされることで、取付部１１の左右端部１１１が取付溝２１内に摺動されて挿入され、固定金具１はレール２により摺動可能に直立平面Ｈに取り付けられる。
【００１５】
ここで、上面部１３の取付部１１付近の幅を、取付部１１の幅と同程度として係止部１３１を設けておくことで、取付部１１の左右端部を取付溝２１に摺動させた際に、係止部１３１がレール２の上端に当接して固定金具１が摺動し過ぎて落下することを防止できる。
【００１６】
固定金具１は、図２に示す如く一体の材料により形成されてもよい。固定金具１はアルミニウム、鉄鋼、ステンレス等の金属により形成されるが、１枚の平板の一部を切欠き、且つ貫通孔を穿設することで形成が可能である。固定金具１は、上端及び下端に切欠きを施し且つ貫通孔を穿設して、固定バンドの固定に係わるバンド固定部１４及びボルト孔１４１が形成される。また取付部１１の下方の両端部を切り欠くことで下面部１２が形成される。取付部１１の上方を切り欠くことで上面部１３が形成されるが、上面部を形成する切欠きは必ずしも必要ではない。かかる切欠き及び貫通孔の穿設といった加工を施した平板を、ａ、ｂ線において９０度程度に谷折りし、ｃ、ｄ線において９０度程度山折りすることで、容易に固定金具１が形成可能することができる。
【００１７】
次に、図３において、蓄電池Ｂが固定金具１の下面部１２及び上面部１３の間に挿入され、下面部１２上に置かれて仮保持される。更に固定金具１のバンド固定部１４に、ボルト等の締結手段Ｔが固定バンド３に穿設された貫通孔３１及び貫通孔１４１に挿通されて固定されることで、内面が蓄電池Ｂに当接されて固定バンド３は固定金具１に取り付けられる。ここで２本のレール２の間隔Ｋを蓄電池Ｂの幅より小さくしておくことで、固定バンド３の取り付けにより蓄電池Ｂが直立平面Ｈ方向に圧接される際、蓄電池Ｂは固定金具１ではなくレール２に圧接される。締結手段Ｔを固定するには、締結手段Ｔが螺合可能なナットを用いてもよく、また貫通孔１４１にねじ山を螺刻しておいてもよい。
【００１８】
図４は、固定バンド３が固定金具１に取り付けられ、蓄電池Ｂがレール２に圧接された状態を示す側面図である。締結手段Ｔを螺入してゆくことで蓄電池Ｂは直立平面Ｈ方向に圧接されてレール２及び固定バンド３に挟持されるが、蓄電池Ｂが固定金具１ではなくレール２に圧接されることで、固定金具１は直立平面Ｈやレール２に固定されていなくても取付溝２１内で摺動したりがたつく恐れがなくなり、レール２、固定金具１及び固定バンド３の３つの部材が緊密に固定され、蓄電池Ｂを直立平面Ｈに強固に固定することができる。
【００１９】
また、かかる蓄電池の固定構造を用いることで、従来の方法では強固な固定が難しい直立平面においても強固な固定が可能であるから、蓄電池Ｂに電力を蓄電したり、また蓄電池の電力を消費する電源装置の内面に取り付け、簡便且つ迅速な取り付けにより設置における便宜を図ったり、従来は蓄電池Ｂの取り付けが困難であったスペースの有効活用を図ることができる。
【００２０】
【発明の効果】
本発明によれば、直立平面に２本のレールを取り付けておき、蓄電池を取り付ける際にレールの取付溝に固定金具の取付部を摺動させ、固定バンドを取り付けることで蓄電池が固定できるから、蓄電池の固定は簡便且つ迅速なものとなり得る。またレールと固定バンドに蓄電池が挟持されて固定されるから、レール、固定金具及び固定バンドの３つの部材が緊密に固定され、蓄電池の固定は強固なものとなり得る。
【図面の簡単な説明】
【図１】本発明に係わる実施の一形態を示す説明図である。
【図２】本発明に係わる実施の一形態を示す平面図である。
【図３】本発明に係わる実施の一形態を示す説明図である。
【図４】本発明に係わる実施の一形態を示す側面図である。
【符号の説明】
１    固定金具
１１  取付部
２    レール
３    固定バンド
Ｈ    直立平面
Ｂ    蓄電池
【図１】
2004253286.tif 000003
【図２】
2004253286.tif 000004
【図３】
2004253286.tif 000005
【図４】
2004253286.tif 000006